(57)【要約】      （修正有）【課題】目で見て噛んだ回数を確認することが出来る箸を提供する。【解決手段】箸に噛むことを表示するための押しボタン１を中央に付け、目で確認できるデジタル機器２を箸の末端に組み込む。この箸で食べ物を口の中に入れた後、食べ物を噛むと同時に押しボタン１を押す。その後、噛むごとに一回ボタンを押す。そうすることで、食べ物を噛んだ回数がに表示される。噛んだ回数を目で見て確かめることによって、どれくらい自分が噛めているのか、いないのかがわかり、噛むことを意識付けることが出来る。よく噛むことで、満腹感を得られる。そのため、少量の食べ物でも満腹感を得られ、この箸はダイエットに役立つ。【選択図】図１
0003145330.tif 000002
【実用新案登録請求の範囲】
【考案の詳細な説明】
【考案の詳細な説明】
【技術分野】
【０００１】本考案は、食事に使用する箸に関するものである。
【背景技術】
【０００２】食べ物をつまんで口に運ぶ際に使用される。
【考案が解決する課題】
【０００３】▲１▼肥満のもとである早食いをなくす。満腹中枢が働くのは、食べ始めてから２０分位かかるとい言われている。一口に３０回噛むことで食事が、ゆっくりとなり、少量の食べ物で満腹中枢が働いて食べすぎ防止なる。この考案は尚且つ健康にもよい。
▲２▼下あごを使ってしっかり噛むことによって、脳細胞の代謝活動が盛んになり、頭の血液の循環がよくなる。このことにより、痴呆の防止や脳の発達によい。
朝日大学、九州大学、久留米大学の実験により証明されている。
▲３▼噛むことにより、唾液が分泌され、食べ物の味が舌の味覚を刺激し、食べ物を美味しく感じる。また、この唾液は、免疫効果が出てきて病気に掛かりにくい体になる。
▲４▼割り箸のように使い捨てではないので環境に良い。
【課題を解決するための手段】
【０００４】本考案は、食事による短時間で多くの食べ物を食べるつまり、早食い習慣をなくし、噛む意識・習慣を付ける考案である。
箸にデジタル機器を埋め込み、目で見て噛んだ回数を確認することが出来る。
【考案の効果】
本来、人手や時間や知恵を必要とした食文化は、今の時代、便利さや快楽や即応性を追求する食文明へと急速に変化してきた。その結果、食事の時間を必要としない、噛まなくても楽に食られる食べ物、食品の調理加工が、進んでしまった。
現代の食事は、本来の噛むことを必要とした食事からかけ離れ、あまり噛まなくてよい飲み込みやすい食べ物になり、短時間で多くの食べ物摂取してしまう、つまり、早食いになっている。満腹感を感じる前に適量以上を食べてしまうので肥満に繋がる。
そこで、本考案の仮ダイエット・カムカム３０箸を使って食事をすることによって、噛むことを意識付けることが出来る。よく噛むことで少量の食べ物で満腹感を得ることが出来るので。ダイエットに非常に効果がある。
0003145330.tif 000003
結果：三人が始めてから、食事の量を減らした  そして、少量でも噛む事によって満腹になる為体重が、少しずつ減少した。
【図１】
0003145330.tif 000004
【図２】
0003145330.tif 000005
【手続補正書】
【提出日】平成20年7月7日(2008.7.7)
【手続補正１】
【補正対象書類名】実用新案登録請求の範囲
【補正対象項目名】全文
【補正方法】変更
【補正の内容】
【実用新案登録請求の範囲】
【請求項１】
食べ物を噛むごとに押す押しボタン（１）と、この押しボタン（１）を押した回数を表示するデジタル機器（２）を備えたことを特徴とする箸。
【手続補正２】
【補正対象書類名】明細書
【補正対象項目名】全文
【補正方法】変更
【補正の内容】
【考案の詳細な説明】
【技術分野】
【０００１】  本考案は、食事に使用する箸に関するものである。食べ物をつまんで口に運ぶ際に使用される。
【背景技術】
【０００２】  本来、人手や時間や知恵を必要とした食文化は、今の時代、便利さや快楽や即応性を追求する食文明へと急速に変化してきた。その結果、食事の時間を必要としない、噛まなくても楽に食られる食べ物、食品の調理加工が、進んでしまった。
現代の食事は、本来の噛むことを必要とした食事からかけ離れ、あまり噛まなくてよい飲み込みやすい食べ物になり、短時間で多くの食べ物を摂取してしまう、つまり、早食いになっている。満腹感を感じる前に適量以上を食べてしまうので肥満に繋がる。
【考案の開示】
【考案が解決しようとする課題】
【０００３】（１）肥満のもとである早食いをなくす。満腹中枢が働くのは、食べ始めてから２０分位かかるとい言われている。一口に３０回噛むことで食事が、ゆっくりとなり、少量の食べ物で満腹中枢が働いて食べすぎ防止なる。この考案は尚且つ健康にもよい。
（２）下あごを使ってしっかり噛むことによって、脳細胞の代謝活動が盛んになり、頭の血液の循環がよくなる。このことにより、痴呆の防止や脳の発達によい。朝日大学、九州大学、久留米大学の実験により証明されている。
（３）噛むことにより、唾液が分泌され、食べ物の味が舌の味覚を刺激し、食べ物を美味しく感じる。また、この唾液は、免疫効果が出てきて病気に掛かりにくい体になる。
（４）割り箸のように使い捨てではないので環境に良い。
そこで、本考案は、食事による満腹感を得る前に適量以上のものを食べてしまう「早食い」の習慣を抑え、噛むことを習慣付ける。そして、噛むことを意識させて実行させるという箸を提供する。
【課題を解決するための手段】
【０００４】  本考案は、食事による短時間で多くの食べ物を食べるつまり、早食い習慣をなくし、噛む意識・習慣を付ける考案である。箸にデジタル機器を埋め込み、目で見て噛んだ回数を確認することが出来る。【０００５】  すなわち、本考案の箸は、この箸を使って食事をすることによって、噛むことを意識付けることが出来るように、食べ物を噛むごとに押す押しボタン１と、この押しボタン１を押した回数を表示するデジタル機器２を備えたものとする。
【考案の効果】
【０００６】  本考案の箸を使って食事をすることによって、噛むことを意識付けることが出来る。よく噛むことで少量の食べ物で満腹感を得ることが出来るので、ダイエットに非常に効果がある。
【考案を実施するための最良の形態】
【０００７】  以下、本考案の実施の形態を図面に基づいて説明する。
箸に噛むことを表示するための押しボタン１を中央に付ける。
目で確認できるデジタル機器２を箸の先端に組み込む。【０００８】  この箸で食べ物を口の中に入れた後、食べ物を噛むと同時に押しボタン１を押す。
その後、噛むごとに一回、１のボタンを押す。そうすることで、食べ物を噛んだ回数が２のデジタル機器に表示される。
噛んだ回数を目で見て確かめることによって、どれくらい自分が噛めているのか、いないのかがわかり、噛むことを意識付けることが出来る。よく噛むことで、満腹感を得られる。そのため、少量の食べ物でも満腹感を得られ、この箸はダイエットに非常に役立つ。【０００９】  １週間  使用結果：三人が始めてから、食事の量を減らした。そして、少量でも噛む事によって満腹になる為体重が、少しずつ減少した。
（普通の箸）              （本考案の箸）
Ａ子    時間と食べる量の変化なし  普段と同じ時間で同じ量を食べられなかった
Ｂ子    時間と食べる量の変化なし  普段と同じ時間で同じ量を食べられなかった
Ｃ子    時間と食べる量の変化なし  普段と同じ時間で同じ量を食べられなかった
【図面の簡単な説明】
【００１０】
【図１】本考案の実施の形態を示す正面図である。
【図２】本考案の使用方法を示す正面図である。
【符号の説明】
【００１１】１  押しボタン
２  デジタル機器